(57)【要約】【課題】  画面サイズを変更しても容易に画像を表示できる移動体用表示装置を提供すること。【解決手段】  移動体用表示装置１は、画面サイズ（縦横サイズ比）が４：３である第１表示領域２ａ、第２表示領域２ｂとからなる表示画面２を備え。第１表示領域２ａは、複数の走査線及び複数の信号線を有し、各走査線に接続された第１走査線駆動回路３ａ、各信号線に接続された第１信号線駆動回路４ａ、及び第１走査線駆動回路３ａ、第１信号線駆動回路４ａに接続される第１コントローラ５ａを備える。第２表示領域２ｂは、複数の走査線及び複数の信号線を有し、各走査線に接続された第２走査線駆動回路３ｂ、各信号線に接続された第２信号線駆動回路４ｂ、及び第２走査線駆動回路３ｂ、第２信号線駆動回路４ｂに接続される第２コントローラ５ｂを備える。【選択図】        図１
2006064870.tif 000002
【特許請求の範囲】
【請求項１】
移動体における複数の情報機器が出力する信号を表示する移動体用表示装置であって、
複数の表示領域からなる表示画面と、
前記各表示領域に対応して設けられ、前記各情報機器からの信号に基づいて対応する表示領域に画像を表示させるための画像表示信号を生成する画像信号生成手段と、
を備えることを特徴とする移動体用表示装置。
【請求項２】
前記表示画面は液晶パネルからなり、前記画像信号生成手段は液晶駆動回路からなることを特徴とする請求項１に記載の移動体用表示装置。
【請求項３】
前記複数の表示領域において同時に信号を表示する場合、信号を表示している表示領域に対応する前記信号入力手段は、別の信号を表示している表示領域に対応する前記信号入力手段に対して同期信号を出力することを特徴とする請求項１又は請求項２に記載の移動体用表示装置。
【発明の詳細な説明】
【技術分野】
【０００１】
本発明は、移動体用表示装置に関するものである。
【背景技術】
【０００２】
従来、表示画面を横長にするなど画面サイズが変更された移動体用表示装置として特許文献１に記載される移動体用表示装置が知られている。この特許文献１に記載される移動体用表示装置では、画面サイズは１６：９やフロントパネル全体などのように従来の縦横サイズ比（４：３）よりも大きく設定されている。
【特許文献１】特開平６−１９５０５６号公報
【発明の開示】
【発明が解決しようとする課題】
【０００３】
しかしながら、上記特許文献１に記載される移動体用表示装置では、画面サイズが従来の縦横サイズ比（４：３）の表示画面に対応したナビゲーション装置、オーディオ装置などからの画像信号を表示するためには、アスペクト変換処理、画面分割処理、画素圧縮処理などの複雑な処理を行なう必要があった。
【０００４】
本発明は、上記問題点に鑑みなされたものであり、画面サイズを変更しても容易に画像を表示できる移動体用表示装置を提供することを目的とする。
【課題を解決するための手段】
【０００５】
上記目的を達成するために請求項１に記載の移動体用表示装置は、移動体における複数の情報機器が出力する信号を表示する移動体用表示装置であって、複数の表示領域からなる表示画面と、各表示領域に対応して設けられ、各情報機器からの信号に基づいて対応する表示領域に画像を表示させるための画像表示信号を生成する画像信号生成手段とを備えることを特徴とするものである。
【０００６】
このように、各情報機器からの信号に基づいた画像表示信号を生成する画像信号生成手段を各表示領域に設けることによって、画面サイズを変更しても各情報機器に対応した画像を容易に表示することができる。
【０００７】
また、請求項２に記載にように移動体用表示装置は、表示画面を液晶パネルとし画像信号生成手段を液晶駆動回路とすることもできる。
【０００８】
また、請求項３に記載の移動体用表示装置では、複数の表示領域において同時に信号を表示する場合、信号を表示している表示領域に対応する信号入力手段は、別の信号を表示している表示領域に対応する信号入力手段に対して同期信号を出力することを特徴とする。
【０００９】
このように、複数の表示領域において同時に信号を表示している場合、信号入力手段が、別の信号入力手段に対して同期信号を出力することによって、同期のとれた表示を行なうことができる。
【発明を実施するための最良の形態】
【００１０】
以下、本発明の実施の形態を図に基づいて説明する。図１は本発明の実施の形態における移動体用表示装置の概略構成を示すブロック図である。
【００１１】
本実施の形態における移動体用表示装置１は、表示画面２、第１走査線駆動回路３ａ、第２走査線駆動回路３ｂ、第１信号線駆動回路４ａ、第２信号線駆動回路４ｂ、第１コントローラ５ａ、第２コントローラ５ｂなどを備える。更に、移動体用表示装置１は、ナビゲーション装置６、描画装置７と接続されている。
【００１２】
表示画面２は、画面サイズ（縦横サイズ比）が４：３である第１表示領域２ａ、第２表示領域２ｂとからなる。各表示領域２ａ、２ｂには、スイッチング素子としての複数のＴＦＴ（Thin Film Transistor）と、ＴＦＴに接続された画素容量と、各ＴＦＴのゲートに接続された複数の走査線と、各ＴＦＴのドレインに接続された複数の信号線とを備え、ＲＧＢ各色の画素が配置されている。このＲＧＢ各色の画素は、交差するように配線された走査線と信号線とが交差する箇所に配置されている。
【００１３】
第１表示領域２ａでは、複数の走査線に接続される第１走査線駆動回路３ａ、複数の信号線に接続される第１信号線駆動回路４ａが設けられており、この第１走査線駆動回路３ａ、第１信号線駆動回路４ａは第１コントローラ５ａと接続されている。なお、これらの第１走査線駆動回路３ａ、第１信号線駆動回路４ａ、第１コントローラ５ａは、ナビゲーション装置６が出力する画像信号（以下、ナビ画像信号とも称する）に対応するものである。
【００１４】
第２表示領域２ｂでは、複数の走査線に接続される第２走査線駆動回路３ｂ、複数の信号線に接続される第２信号線駆動回路４ｂが設けられており、この第２走査線駆動回路３ｂ、第２信号線駆動回路４ｂは第２コントローラ５ｂと接続されている。なお、これらの第２走査線駆動回路３ｂ、第２信号線駆動回路４ｂ、第２コントローラ５ｂは、描画装置７が出力する画像信号（ビデオ画像信号、テレビ画像信号、車両情報画像信号）に対応するものである。
【００１５】
第１走査線駆動回路３ａ、第２走査線駆動回路３ｂは、図示しないシフトレジスタなどを備え、第１コントローラ５ａ、第２コントローラ５ｂのそれぞれから供給される垂直制御信号に従って走査線に走査信号を出力する。
【００１６】
第１信号線駆動回路４ａ、第２信号線駆動回路４ｂは、図示しないシフトレジスタ、レベルシフタ、バッファ回路などを備え、第１コントローラ５ａ、第２コントローラ５ｂのそれぞれから供給される水平制御信号に従って画像信号を対応する信号線に表示信号を出力する。
【００１７】
第１コントローラ５ａ、第２コントローラ５ｂは、ＣＰＵ、発振器などを備え、第１コントローラ５ａと第２コントローラ５ｂとは接続されており、更に、第１コントローラ５ａはナビゲーション装置６と接続されており、第２コントローラ５ｂは描画装置７と接続されている。
【００１８】
第１コントローラ５ａは、ナビゲーション装置６から供給されるナビ画像信号から水平同期信号、垂直同期信号などを抽出して、この水平同期信号、垂直同期信号などに基づいて水平制御信号（信号線アウトプットイネーブル信号、クリア信号等）及び垂直制御信号（ゲートスタート信号、ゲートクロック、走査線アウトプットイネーブル信号等）などを生成する。
【００１９】
そして、第１コントローラ５ａは、これらの水平制御信号及び垂直制御信号などを第１走査線駆動回路３ａ及び第１信号線駆動回路４ａに供給することにより、所定のタイミングで第１表示領域２ａにナビ画像信号に基づく画像を表示する。
【００２０】
第２コントローラ５ｂは、描画装置７から供給される画像信号（ビデオ画像信号、テレビ画像信号、車両情報画像信号）から水平同期信号、垂直同期信号などを抽出して、この水平同期信号、垂直同期信号などに基づいて水平制御信号（信号線アウトプットイネーブル信号、クリア信号等）及び垂直制御信号（ゲートスタート信号、ゲートクロック、走査線アウトプットイネーブル信号等）などを生成する。
【００２１】
そして、第２コントローラ５ｂは、これらの水平制御信号及び垂直制御信号などを第２走査線駆動回路３ｂ及び第２信号線駆動回路４ｂに供給することにより、所定のタイミングで第１表示領域２ａにビデオ画像信号などに基づく画像を表示する。
【００２２】
また、第１コントローラ５ａと第２コントローラ５ｂは、互いに同期信号を送受信することによって、第１表示領域２ａと第２表示領域２ｂとに表示する画像を同期させることもできる。なお、第１表示領域２ａと第２表示領域２ｂとに表示する画像の同期については後ほど説明する。
【００２３】
ナビゲーション装置６は、制御部、現在位置検出部、地図データ記憶部、操作デバイスなどを備える。制御部は、操作デバイスにて目的地が指示されると、地図データ記憶部に記憶されている地図データなどを用いて現在位置から目的地までの案内経路を設定する。そして、制御部は、地図データなどによって生成される案内経路などを含む画像信号（ナビ画像信号）を第１コントローラ５ａに出力する。なお、ナビゲーション装置６が出力するナビ画像信号は４：３の画面サイズ（縦横サイズ比）に適した画像信号である。
【００２４】
描画装置７は、ＣＰＵ、メモリなどを備え、ビデオ再生装置から出力されるビデオ信号、テレビチューナから出力されるテレビ信号、エンジン制御回路などから出力される車両情報信号を画像信号（ビデオ画像信号、テレビ画像信号、車両情報画像信号）に変換する。なお、描画装置７が出力する画像信号は４：３の画面サイズ（縦横サイズ比）に適した画像信号である。
【００２５】
ここで、第１表示領域２ａと第２表示領域２ｂとに表示する画像の同期について説明する。例として、描画装置７は車両情報信号に基づき描画装置７自身で所定の画像を作成した時の動作を用いて説明する。図２は、本発明の実施の形態における移動体用表示装置の動作を説明するタイミングチャートである。
【００２６】
ナビゲーション装置６では、ナビゲーション画像をＲＧＢそれぞれの画素ごとに分解し、図２に示す垂直タイミング、水平タイミングにて画像信号として出力する。ナビゲーション画像をＲＧＢに分解したアナログ信号が水平同期信号により水平方向の１ライン分のデータとして第１コントローラ５ａに入力される。
【００２７】
また、これらの信号の垂直方向開始位置は垂直同期信号にて決定され、水平方向１ラインずつ順次映像信号として第１コントローラ５ａに入力される。第１コントローラ５ａでは、入力された信号をパネル２ａの駆動素子数に分解し、それぞれの垂直同期信号、水平同期信号にあわせ第１走査線駆動回路３ａ、第１信号線駆動回路４ａに信号を入力することにより第１表示領域２ａに映像を表示させる。さらに、第１コントローラ５ａは、分離した垂直同期信号、水平同期信号を第２コントローラ５ｂに送信する。
【００２８】
描画装置７では、入力された車両情報信号に基づき表示内容を生成し、また図２に示す垂直同期信号および水平同期信号のタイミングに準じた同期信号を生成し、第２コントローラ５ｂに送る。第２コントローラ５ｂでは、垂直同期信号、水平同期信号それぞれについて描画装置７よりの同期信号と、第１コントローラ５ａよりの同期信号を比較しそれぞれの差分だけラッチ回路などにより描画装置７よりの画像信号を遅延させ、第１コントローラ５ａよりの同期信号のタイミングにて第２走査線駆動回路３ｂ、第２信号線駆動回路４ｂへデータを送信することにより、第２表示領域２ｂの表示を第１表示領域２ａに同期させる。
【００２９】
なお、描画装置７で生成した画像（車両情報画像信号）について説明したが、ビデオ信号、テレビ信号についてもＡ／Ｄ変換回路により描画装置７が生成する画像と同一タイミングの信号を作成することによって同様の動作が可能である。
【００３０】
なお、本実施の形態においては、縦横サイズ比が共に４：３である第１表示領域２ａ、第２表示領域２ｂ、及び４：３の画像信号に対応した走査線駆動回路、信号線駆動回路、コントローラを用いた例にて説明したが、本発明はこれに限定されるものではない。
【００３１】
例えば、描画装置７に入力されるテレビ信号がハイビジョンと称されるＨＤＴＶ（High Definition Television）からのものであるような場合、第１表示領域２ａの縦横サイズ比が４：３であり、第２表示領域２ｂの縦横サイズ比が１６：９であるような表示画面２を用いてもよい。この場合、第１表示領域に設けられる第１走査線駆動回路３ａ、第１信号線駆動回路４ａ、第１コントローラ５ａは、４：３の画像信号に対応するものとする。第２表示領域に設けられる第２走査線駆動回路３ｂ、第２信号線駆動回路４ｂ、第２コントローラ５ｂは、１６：９の画像信号に対応するものとする。
【００３２】
また、表示画面２として縦横サイズ比が４：３である表示領域を３つ以上並べた表示画面を用い、４：３の画像信号に対応する走査線駆動回路、信号線駆動回路、コントローラを各表示領域に設けるようにしてもよい。
【００３３】
更に、表示画面２として縦横サイズ比が４：３である表示領域と縦横サイズ比が１６：９である表示領域とを複数並べた表示画面を用い、４：３及び１６：９に対応する走査線駆動回路、信号線駆動回路、コントローラを各表示領域に設けるようにしてもよい。
【００３４】
更に、本実施の形態においては、表示画面２が横長である例を用いて説明したが、本発明はこれに限定されるものではなく、縦長の表示画面２を用いてもよい。
【図面の簡単な説明】
【００３５】
【図１】本発明の実施の形態における移動体用表示装置の概略構成を示すブロック図である。
【図２】本発明の実施の形態における移動体用表示装置の動作を説明するタイミングチャートである。
【符号の説明】
【００３６】
１  移動体用表示装置、２  表示画面、２ａ  第１表示領域、２ｂ  第２表示領域、３ａ  第１走査線駆動回路、３ｂ  第２走査線駆動回路、４ａ  第１信号線駆動回路、４ｂ  第２信号線駆動回路、５ａ  第１コントローラ、５ｂ  第２コントローラ、６  ナビゲーション装置、７  描画装置
【図１】
2006064870.tif 000003
【図２】
2006064870.tif 000004